(57)【要約】      （修正有）【課題】識別部により正常に識別することができなかった景品がある場合に、このような景品に係る情報を手入力しなくても当該景品の処理を行うことができるようになり、このため違算の発生を防止するとともに景品の処理時間を短縮することができる景品読取機および景品読取方法を提供する。【解決手段】景品読取機は、搬送部により搬送される景品の識別を行う識別部と、識別部により正常に識別することができなかった景品がある場合に、識別部により正常に識別することができなかった景品と他の景品とを交換した後に識別部により景品の再識別を行う代替読取モードを実行可能な制御部とを備えている。【選択図】図７
2015136411.tif 000002
【特許請求の範囲】
【請求項１】
機体内に繰り出された景品の搬送を行う搬送部と、
前記搬送部により搬送される景品の識別を行う識別部と、
前記識別部により正常に識別することができなかった景品がある場合に、前記識別部により正常に識別することができなかった景品と他の景品とを交換した後に前記識別部により景品の再識別を行う代替読取モードを実行可能な制御部と、
を備えた、景品読取機。
【請求項２】
前記識別部は、景品の識別を行う際に当該景品の識別情報を取得するようになっており、
前記制御部において前記代替読取モードが実行される際には、前記識別部により景品の識別が行われたときに、少なくとも、取得された識別情報が前記識別部により既に識別が行われた景品の識別情報と一致するか否かの判別が行われないようになっている、請求項１記載の景品読取機。
【請求項３】
前記他の景品は、前記識別部により既に正常に識別された景品である、請求項１または２記載の景品読取機。
【請求項４】
前記制御部に対して情報を入力するために操作者により操作される操作部を更に備え、
前記制御部は、前記識別部により正常に識別することができなかった景品に係る情報を操作者が前記操作部により手入力する手入力モードも実行可能となっており、
前記識別部により正常に識別することができなかった景品がある場合に、前記代替読取モードおよび前記手入力モードのうち何れか一方のモードを前記操作部により選択可能となっている、請求項１乃至３のいずれか一項に記載の景品読取機。
【請求項５】
前記識別部は、景品の識別を行う際に当該景品の識別情報を取得するようになっており、
前記識別部により景品の識別が行われた場合に、取得された識別情報が前記識別部により既に正常に識別された景品の識別情報と一致するか否かの判別を行う識別情報チェックモードを行うか否かの設定が前記制御部において行われるようになっており、
前記識別部により正常に識別することができなかった景品がある場合に、少なくとも前記識別情報チェックモードを行うことが前記制御部において設定されているときにおいて、前記代替読取モードおよび前記手入力モードのうち何れか一方のモードを前記操作部により選択可能となっている、請求項４記載の景品読取機。
【請求項６】
前記制御部において、前記代替読取モードを行うか否かの設定が行われるようになっており、
前記識別部により正常に識別することができなかった景品がある場合に、少なくとも前記代替読取モードを行うことが前記制御部において設定されているときにおいて、前記代替読取モードおよび前記手入力モードのうち何れか一方のモードを前記操作部により選択可能となっている、請求項４記載の景品読取機。
【請求項７】
前記景品読取機においてエラーが発生したときにも前記制御部において前記代替読取モードが実行可能となる、請求項１乃至６のいずれか一項に記載の景品読取機。
【請求項８】
前記景品読取機における前記エラーは、少なくとも前記景品読取機の機体内での景品の詰まりの発生である、請求項７記載の景品読取機。
【請求項９】
前記制御部において、前記代替読取モードは、前記景品読取機に通信可能に接続された現金払出機により現金が払い出されるまでの一取引の間においてのみ実行可能である、請求項１乃至８のいずれか一項に記載の景品読取機。
【請求項１０】
前記識別部による景品の識別情報を記憶する記憶部を更に備え、
前記記憶部は、前記代替読取モードが実行されているときの前記識別部による景品の識別情報を、前記代替読取モードが実行されていないときの前記識別部による景品の識別情報と区別して記憶するようになっている、請求項１乃至９のいずれか一項に記載の景品読取機。
【請求項１１】
機体内に繰り出された景品の搬送を行う工程と、
搬送される景品の識別を識別部により行う工程と、
を備え、
前記識別部により正常に識別することができなかった景品がある場合に、前記識別部により正常に識別することができなかった景品と他の景品とを交換した後に前記識別部により景品の再識別を行う代替読取モードを実行可能となっている、景品読取方法。
【請求項１２】
前記識別部は、景品の識別を行う際に当該景品の識別情報を取得するようになっており、
前記代替読取モードが実行される際には、前記識別部により景品の識別が行われたときに、少なくとも、取得された識別情報が前記識別部により既に識別が行われた景品の識別情報と一致するか否かの判別が行われないようになっている、請求項１１記載の景品読取方法。
【請求項１３】
前記他の景品は、前記識別部により既に正常に識別された景品である、請求項１１または１２記載の景品読取方法。
【発明の詳細な説明】
【技術分野】
【０００１】
本発明は、パチンコ等の遊技客が獲得した遊技媒体と交換された景品の読み取りを行う景品読取機および景品読取方法に関する。
【背景技術】
【０００２】
従来から、パチンコ等の遊技客が獲得した遊技媒体と交換された景品の読み取りを行う景品読取機として様々なタイプのものが知られている（特許文献１、２等参照）。これらの特許文献１、２等に開示される景品読取機では、複数の景品を受け入れる受入部から景品を１つずつ繰り出して搬送するとともに、搬送される景品を識別部により識別することによって当該景品の種類等に係る情報を読み取り、識別部により識別された景品を種類別に選別して複数の分類集積部（スタッカ）に種類別に集積するように構成されている。
【先行技術文献】
【特許文献】
【０００３】
【特許文献１】特開２００５−２８７５９５号公報
【特許文献２】特開２００６−３２５９５１号公報
【発明の概要】
【発明が解決しようとする課題】
【０００４】
従来の景品読取機では、識別部により正常に識別することができなかった景品がある場合には、このような景品に係る情報を操作者は操作部により手入力していた。あるいは、識別部により正常に識別することができなかった景品に係る情報を操作部により手入力する代わりに、景品読取機における取引をキャンセルした後、全ての景品に係る情報を操作者は操作部により手入力していた。
【０００５】
しかしながら、操作者が操作部により景品に係る情報を手入力する場合には、手入力における入力ミスにより違算が発生しやすいという問題があった。また、操作者が手入力を行う場合には、景品に係る情報を識別部により自動的に読み取るときよりも景品の処理に時間がかかってしまうという問題があった。
【０００６】
本発明は、このような点を考慮してなされたものであり、識別部により正常に識別することができなかった景品がある場合に、このような景品に係る情報を手入力しなくても当該景品の処理を行うことができるようになり、このため違算の発生を防止するとともに景品の処理時間を短縮することができる景品読取機および景品読取方法を提供することを目的とする。
【課題を解決するための手段】
【０００７】
本発明の景品読取機は、機体内に繰り出された景品の搬送を行う搬送部と、前記搬送部により搬送される景品の識別を行う識別部と、前記識別部により正常に識別することができなかった景品がある場合に、前記識別部により正常に識別することができなかった景品と他の景品とを交換した後に前記識別部により景品の再識別を行う代替読取モードを実行可能な制御部と、を備えたことを特徴とする。
【０００８】
このような景品読取機によれば、識別部により正常に識別することができなかった景品がある場合に、識別部により正常に識別することができなかった景品と他の景品とを交換した後に識別部により景品の再識別を行う代替読取モードを行うことにより、景品に係る情報を手入力しなくても当該景品の処理を行うことができるようになり、このため違算の発生を防止するとともに景品の処理時間を短縮することができる。
【０００９】
本発明の景品読取機においては、前記識別部は、景品の識別を行う際に当該景品の識別情報を取得するようになっており、前記制御部において前記代替読取モードが実行される際には、前記識別部により景品の識別が行われたときに、少なくとも、取得された識別情報が前記識別部により既に識別が行われた景品の識別情報と一致するか否かの判別が行われないようになっていてもよい。
【００１０】
本発明の景品読取機においては、前記他の景品は、前記識別部により既に正常に識別された景品であってもよい。
【００１１】
本発明の景品読取機は、前記制御部に対して情報を入力するために操作者により操作される操作部を更に備え、前記制御部は、前記識別部により正常に識別することができなかった景品に係る情報を操作者が前記操作部により手入力する手入力モードも実行可能となっており、前記識別部により正常に識別することができなかった景品がある場合に、前記代替読取モードおよび前記手入力モードのうち何れか一方のモードを前記操作部により選択可能となっていてもよい。
【００１２】
この場合、前記識別部は、景品の識別を行う際に当該景品の識別情報を取得するようになっており、前記識別部により景品の識別が行われた場合に、取得された識別情報が前記識別部により既に正常に識別された景品の識別情報と一致するか否かの判別を行う識別情報チェックモードを行うか否かの設定が前記制御部において行われるようになっており、前記識別部により正常に識別することができなかった景品がある場合に、少なくとも前記識別情報チェックモードを行うことが前記制御部において設定されているときにおいて、前記代替読取モードおよび前記手入力モードのうち何れか一方のモードを前記操作部により選択可能となっていてもよい。
【００１３】
また、前記制御部において、前記代替読取モードを行うか否かの設定が行われるようになっており、前記識別部により正常に識別することができなかった景品がある場合に、少なくとも前記代替読取モードを行うことが前記制御部において設定されているときにおいて、前記代替読取モードおよび前記手入力モードのうち何れか一方のモードを前記操作部により選択可能となっていてもよい。
【００１４】
本発明の景品読取機においては、前記景品読取機においてエラーが発生したときにも前記制御部において前記代替読取モードが実行可能となっていてもよい。
【００１５】
この場合、前記景品読取機における前記エラーは、少なくとも前記景品読取機の機体内での景品の詰まりの発生であってもよい。
【００１６】
本発明の景品読取機においては、前記制御部において、前記代替読取モードは、前記景品読取機に通信可能に接続された現金払出機により現金が払い出されるまでの一取引の間においてのみ実行可能であってもよい。
【００１７】
本発明の景品読取機は、前記識別部による景品の識別情報を記憶する記憶部を更に備え、前記記憶部は、前記代替読取モードが実行されているときの前記識別部による景品の識別情報を、前記代替読取モードが実行されていないときの前記識別部による景品の識別情報と区別して記憶するようになっていてもよい。
【００１８】
本発明の景品読取方法は、機体内に繰り出された景品の搬送を行う工程と、搬送される景品の識別を識別部により行う工程と、を備え、前記識別部により正常に識別することができなかった景品がある場合に、前記識別部により正常に識別することができなかった景品と他の景品とを交換した後に前記識別部により景品の再識別を行う代替読取モードを実行可能となっていることを特徴とする。
【００１９】
このような景品読取方法によれば、識別部により正常に識別することができなかった景品がある場合に、識別部により正常に識別することができなかった景品と他の景品とを交換した後に識別部により景品の再識別を行う代替読取モードを行うことにより、景品に係る情報を手入力しなくても当該景品の処理を行うことができるようになり、このため違算の発生を防止するとともに景品の処理時間を短縮することができる。
【００２０】
本発明の景品読取方法においては、前記識別部は、景品の識別を行う際に当該景品の識別情報を取得するようになっており、前記代替読取モードが実行される際には、前記識別部により景品の識別が行われたときに、少なくとも、取得された識別情報が前記識別部により既に識別が行われた景品の識別情報と一致するか否かの判別が行われないようになっていてもよい。
【００２１】
本発明の景品読取方法においては、前記他の景品は、前記識別部により既に正常に識別された景品であってもよい。
【発明の効果】
【００２２】
本発明の景品読取機および景品読取方法によれば、識別部により正常に識別することができなかった景品がある場合に、このような景品に係る情報を手入力しなくても当該景品の処理を行うことができるようになり、このため違算の発生を防止するとともに景品の処理時間を短縮することができる。
【図面の簡単な説明】
【００２３】
【図１】本発明の実施の形態による景品読取機を正面側から見たときの構成を示す斜視図である。
【図２】図１に示す景品読取機の制御系の構成を示す機能ブロック図である。
【図３】図１等に示す景品読取機における搬送部を抜き出して示す斜視図である。
【図４】図３に示す搬送部におけるベルトを抜き出して示す斜視図である。
【図５】図１等に示す景品読取機により読み取られる景品の構成を示す模式図である。
【図６】図１等に示す景品読取機において識別部が景品を識別する動作を図解的に示す模式図である。
【図７】図１等に示す景品読取機において、識別部により正常に識別することができなかった景品がある場合における動作の流れを示すフローチャートである。
【図８】図１等に示す景品読取機の操作表示部における表示画面を示す図である。
【図９】図１等に示す景品読取機の操作表示部における表示画面を示す図である。
【図１０】図１等に示す景品読取機の操作表示部における表示画面を示す図である。
【図１１】図１等に示す景品読取機の操作表示部における表示画面を示す図である。
【発明を実施するための形態】
【００２４】
以下、図面を参照して本発明の実施の形態について説明する。図１乃至図１１は、本実施の形態に係る景品読取機を示す図である。このうち、図１は、本実施の形態による景品読取機を正面側から見たときの構成を示す斜視図であり、図２は、図１に示す景品読取機の制御系の構成を示す機能ブロック図である。また、図３は、図１等に示す景品読取機における搬送部を抜き出して示す斜視図であり、図４は、図３に示す搬送部におけるベルトを抜き出して示す斜視図である。また、図５は、図１等に示す景品読取機により読み取られる景品の構成を示す模式図であり、図６は、図１等に示す景品読取機において識別部が景品を識別する動作を図解的に示す模式図である。また、図７は、図１等に示す景品読取機において、識別部により正常に識別することができなかった景品がある場合における動作の流れを示すフローチャートであり、図８乃至図１１は、図１等に示す景品読取機の操作表示部における表示画面を示す図である。
【００２５】
パチンコ店等の遊技施設で遊技客に払い出された景品の交換を行う景品交換所が当該遊技施設とは別に設けられており、本実施の形態による景品読取機１は、現金の払い出しを行う現金払出機とともにこのような景品交換所に設置されている。なお、景品とは、菓子や煙草といった一般景品ではなく、所定の金銭価値を有する物体（有価物）が内蔵された特殊景品のことをいう。この景品は、一般的に、１〜３ｍｍ程度の厚みを有する略長方形形状をなす樹脂製のカードである。この景品には、前述した有価物が内蔵されており、例えば２００円、１０００円、２０００円、５０００円といった金種に応じた複数（ここでは４つ）の種類が存在する。景品の詳細については後で述べる。
【００２６】
本実施の形態による景品読取機１の運用として、景品交換所の係員は、遊技客から受け取った景品を景品読取機１にセットする。その後、景品読取機１の動作が開始されて、セットされた景品が１枚ずつ景品読取機１の機体内に取り込まれ、真偽や金種についての識別が行われた後に、グループ毎にまとめられる。景品読取機１における景品の識別結果（具体的には、遊技客から受け取った景品の内訳等）は、景品読取機１に対して通信可能に接続された現金払出機（図１では図示せず）に送信され、この現金払出機から、遊技客の景品に相当する現金が払い出され遊技客に渡される。なお、景品交換所には、景品読取機１や現金払出機とは別に、景品の在庫データを管理する景品管理機（図１では図示せず）が設けられていてもよい。この場合には、景品読取機１における景品の識別結果が景品管理機に送信されることで、景品管理機における景品の在庫データが更新されるようになる。また、景品の在庫データを管理する景品管理機が景品読取機１と一体的に設けられていてもよい。
【００２７】
図１は、本実施の形態による景品読取機１を正面側から見たときの構成を示す斜視図である。なお、以下の説明では、図１において正面側（図１の紙面の手前側）から見たときの景品読取機１の左右上下前後の方向を基準として、景品読取機１およびその構成要素の向きを特定することとする。ここで、左右方向と景品読取機１の幅方向とは同じであり、上下方向と鉛直方向とは同じである。そして、前後方向（景品読取機１の奥行き方向）および左右方向（景品読取機１の幅方向）は、水平方向に含まれる。
【００２８】
図１に示すように、景品読取機１は、幅方向にやや長手の直方体形状となっている。景品読取機１の外郭をなす部分である本体２では、右側約３分の２の領域に、プリンタ部４と、搬送部５と、識別部６と、操作表示部７とが設けられており、また、本体２の左側約３分の１の領域に収納部８が設けられている。また、本体２の正面における上下方向略中央の右端部には、景品交換所の係員によってそれぞれ操作（押下）される開始スイッチ９および停止スイッチ１０が左右に並んで配置されている。ここで、開始スイッチ９は、景品読取機１の動作を開始させるために景品交換所の係員によって操作されるものであり、また、停止スイッチ１０は、景品読取機１の動作を停止させるために景品交換所の係員によって操作されるものである。
【００２９】
プリンタ部４は、本体２の上面における幅方向略中央に設けられている。このプリンタ部４は、景品読取機１での処理内容を、紙の伝票としてジャーナル出力することができるようになっている。搬送部５は、係員が遊技客から受け取った景品を１枚ずつ繰り出して景品読取機１の機体内で搬送するよう構成されている。このような搬送部５の構成の詳細については後述する。搬送部５に関し、本体２の正面右上の角（コーナー）部分は、正面側および上側の両側から切り欠くように凹状にえぐられており、この凹状部分（周辺部分も含む）は、景品が上下に積層した状態でセットされ、当該景品を本体２内に繰り出すための繰出部１１となっている。なお、景品の積層方向（上下方向）は、各景品の厚さ方向と一致している。
【００３０】
識別部６は、搬送部５の繰出部１１から繰り出された景品の真偽や金種等を識別するよう構成されている。このような識別部６の構成の詳細については後述する。また、操作表示部７は、本体２の正面において、前述した右側約３分の２の領域の略下半分を占めるよう配置されており、幅方向に長手の長方形形状をなす液晶のタッチパネルである。操作表示部７には、景品読取機１における必要な情報が表示されるようになっており、また、係員は操作表示部７により景品読取機１に対して入力を行うことができるようになっている。このような操作表示部７の構成の詳細については後述する。
【００３１】
収納部８は、搬送部５での搬送を終えた景品が収納される収納庫７１を有している。このような収納部８の構成の詳細については後述する。
【００３２】
図２は、景品読取機１の制御系の構成を示す機能ブロック図である。図２を参照しながら、景品読取機１の制御系の構成について説明する。
【００３３】
景品読取機１は、当該景品読取機１の各構成要素の動作を制御する制御部１５を有している。具体的には、制御部１５は、ＣＰＵやＲＯＭ、ＲＡＭ等によって構成されている。また、制御部１５には、前述したプリンタ部４、搬送部５、識別部６、開始スイッチ９、停止スイッチ１０、操作表示部７、収納部８がそれぞれ電気的に接続されている。また、制御部１５には、記憶部１６および通信インターフェース１７がそれぞれ電気的に接続されている。記憶部１６は様々な情報を記憶するようになっている。また、通信インターフェース１７は、前述した現金払出機や景品管理機に対して信号の送受信を行うようになっている。
【００３４】
以下、搬送部５、識別部６および収納部８の各構成要素の詳細について説明する。
【００３５】
図３は、図１に示す景品読取機１における搬送部５を抜き出して示す斜視図であり、図４は、図３に示す搬送部５におけるベルト２２を抜き出して示す斜視図である。なお、図３および図４における各構成要素の姿勢（向き）は、図１の景品読取機１の姿勢（向き）と同じである。
【００３６】
図３に示すように、搬送部５は、前述した本体２に固定されたフレーム２０と、前述した繰出部１１と、回転軸２１と、無端状の搬送体としてのベルト２２と、駆動モータ２３とを主に有している。フレーム２０は、正面から見て、幅方向に長手であるとともに前後方向にやや薄いボックス状のものであり、その前面および下面の全域が開放されている。すなわち、フレーム２０は、上壁２０Ａと、左壁２０Ｂと、右壁２０Ｃと、後壁２０Ｄとを一体的に有している。
【００３７】
上壁２０Ａは、幅方向に細長く上下に薄い板状のものとなっている。上壁２０Ａの前後方向寸法は、長方形形状の景品における短手方向寸法よりもある程度大きくなっている。また、左壁２０Ｂは、幅方向に薄い板状のものとなっており、上壁２０Ａの左端から下方に延びている。また、右壁２０Ｃは、幅方向に薄い板状のものとなっており、上壁２０Ａの右端から下方に延びている。また、後壁２０Ｄは、前後方向に薄い板状のものとなっており、左壁２０Ｂおよび右壁２０Ｃの後端間に架設されているとともに、上壁２０Ａの後端に接続されている。なお、上壁２０Ａ、左壁２０Ｂ、右壁２０Ｃおよび後壁２０Ｄのそれぞれにおいて、必要に応じて、肉抜き穴（図３における左壁２０Ｂを参照）を形成してもよい。
【００３８】
また、上壁２０Ａの幅方向略中央には、幅方向に薄く上方へ延びる第１縦壁２４が設けられている。第１縦壁２４の下端と、上壁２０Ａの上面との間には、景品１枚がちょうど通過できる程度の隙間２５が形成されている。つまり、隙間２５の上下方向寸法は、景品１枚の厚さより少し大きく、隙間２５の前後方向寸法は、景品１枚の短手方向寸法より少し大きい。また、上壁２０Ａの後端の略右半分には、前後方向に薄く上方へ延びる第２縦壁２６が接続されている。第１縦壁２４の後端と第２縦壁２６の左端とは、上下方向におけるほぼ全域に亘って接続されており、平面視で、第１縦壁２４および第２縦壁２６の全体が略Ｌ字をなしている。また、上壁２０Ａの右端部にはガイド部２７が取り付けられている。ガイド部２７は、第１縦壁２４に対して右方に対向配置されており、当該ガイド部２７は第２縦壁２６にも接続されている。このようなガイド部２７において第１縦壁２４に対向する左側面はガイド面２７Ａとして構成されており、このガイド面２７Ａは、上方へ略鉛直方向に延びた後に、第１縦壁２４から離れるように右上側へ傾斜している。
【００３９】
上壁２０Ａの略右側部分、第１縦壁２４、ガイド部２７および第２縦壁２６、ならびにこれらによって囲まれた部分が、前述した繰出部１１を構成している。そして、上壁２０Ａの上面において、第１縦壁２４およびガイド部２７によって幅方向から挟まれ、第２縦壁２６によって後側から仕切られた部分は、繰出部１１において景品が上下に積層した状態でセットされるセット部２８である。セット部２８では、景品の長手方向が景品読取機１の幅方向に沿うように、最大で３０枚の景品がセットされる。ガイド部２７において傾斜したガイド面２７Ａが景品をセット部２８に導くので、セット部２８に景品を円滑にセットできる。
【００４０】
セット部２８では、セットされた景品の前側部分の真下に位置する部分に、幅方向全域に亘ってセット部２８を切り欠く切り欠き２９が形成されている。切り欠き２９は、幅方向に延びる溝状のものとなっている。ガイド部２７のガイド面２７Ａの下端部において、切り欠き２９と前後方向で同じ位置にある部分には切り欠き３０が形成されている。切り欠き３０は、切り欠き２９と連通しているとともに、ガイド部２７の内外を連通させている。
【００４１】
上壁２０Ａの上面において、第１縦壁２４よりも左側の領域（以下、「略左半分領域」ともいう）には、一対のガイドレール３１が設けられている。各ガイドレール３１は、上壁２０Ａの上面における略左半分領域のほぼ全域（幅方向における全域）に亘るように、幅方向に細長く延びている。一対のガイドレール３１は、前後方向に間隔を隔てて平行に延びている。一対のガイドレール３１のうち、前側のガイドレール３１Ａは、上壁２０Ａの上面の前端部に対して、景品１枚の厚さ分の隙間を隔てて対向している。一対のガイドレール３１のうち、後側のガイドレール３１Ｂは、上壁２０Ａの上面の後端部に対して、景品１枚の厚さ分の隙間を隔てて対向している。景品読取機１において、上壁２０Ａの上面における略左半分領域から一対のガイドレール３１までのスペースが搬送路３２として用いられるようになっている。搬送路３２は、景品１枚の厚さとほぼ同じ厚さで幅方向に水平に延びる帯状空間である。また、搬送路３２を下から区画する面（すなわち、上壁２０Ａの上面）が搬送面３２Ａとして用いられるようになっている。搬送面３２Ａは、水平方向に沿って平坦であり、幅方向に延びている。
【００４２】
搬送路３２は、前述した隙間２５を介してセット部２８に連通しており、セット部２８から水平な状態で左側へ延びている。搬送路３２は、セット部２８にセットされた景品を、セット部２８にセットされたときと同じ姿勢のまま、搬送面３２Ａに載置された状態で左側へ搬送することができる。搬送路３２で搬送される景品は、その前後の端部の真上にガイドレール３１が位置しているので、搬送路３２において、景品は浮き上がることなく搬送される。
【００４３】
また、上壁２０Ａの上面における略左半分領域において、平面視で一対のガイドレール３１の間に位置する領域には、上壁２０Ａを厚さ方向（上下方向）に切り欠く切り欠き３３が形成されている。ここで、上壁２０Ａの下側には、前述した識別部６が組み付けられており、この識別部６は切り欠き３３から搬送路３２内に露出している。
【００４４】
回転軸２１は、前後方向に延びる軸状体であって、全部で４本設けられている。これらの回転軸２１は、正面視で互いに離間して配置された状態で、フレーム２０によって回転可能に支持されている。以下では、４つの回転軸２１のそれぞれを、回転軸２１Ａ、回転軸２１Ｂ、回転軸２１Ｃおよび回転軸２１Ｄというように区別することがある。回転軸２１Ａは、フレーム２０における左上の角に配置されている。回転軸２１Ａの後端部は、フレーム２０の後壁２０Ｄよりも後側へはみ出している。また、回転軸２１Ｂは、フレーム２０における左下の角から少し右側の位置に配置されている。また、回転軸２１Ｃは、フレーム２０における右下の角から少し上側の位置に配置されている。また、回転軸２１Ｄは、フレーム２０における右上の角に配置されている。各回転軸２１では、前後方向においてセット部２８の切り欠き２９と同じ位置に、プーリー３４が一体回転可能に取り付けられている。プーリー３４は、回転軸２１に対して外嵌される円環状のものであって、プーリー３４の軸方向両端部には、周方向全域に亘って径方向外側へ張り出したフランジ３４Ａが一体的に設けられている（図３における回転軸２１Ａ、２１Ｃのプーリー３４を参照）。
【００４５】
図４に示すように、ベルト２２は、無端状をなす環状ベルト（いわゆるエンドレスベルト）であり、当該ベルト２２はゴム等の弾性体から形成されている。ベルト２２を、その周方向Ｒと直交する平坦面に沿って切断したときの断面は、景品読取機１の前後方向に沿った細長い長方形形状となっている。そして、ベルト２２の外周面２２Ａには、複数（ここでは７つ）の突起３５が、周方向Ｒに沿って一定の間隔で設けられている。各突起３５は、ベルト２２の断面の長手方向（景品読取機１の前後方向）に沿った細長い略直方体のブロック形状であって、ベルト２２に一体形成されている。各突起３５の長手方向寸法Ｌは、ベルト２２の断面の長手方向寸法とほぼ同じである。また、ベルト２２の外周面２２Ａからの各突起３５の突出量Ｓは、景品（図４において参照符号４０で表示）の１枚の厚さＴとほぼ同じである。また、ベルト２２において周方向Ｒに沿って隣り合う２つの突起３５間の間隔Ｐは、景品４０の１つの寸法Ｑよりも所定の大きさ以上（例えば、数ｍｍ程度以上）大きい。
【００４６】
このようなベルト２２は、図３に示すように、４つの回転軸２１のプーリー３４に対して、所定のテンションがかかった状態で掛け回されている。この状態のベルト２２はフレーム２０内に配置されている。ベルト２２において各プーリー３４に掛かった部分は曲がり角Ｃとなっている。図３では、回転軸２１Ａおよび回転軸２１Ｂにおけるベルト２２の曲がり角Ｃが図示されている。
【００４７】
ベルト２２は、回転軸２１Ａにおける曲がり角Ｃではプーリー３４の外周面に沿って湾曲し、その後、右下側へ延びて回転軸２１Ｂのプーリー３４に掛かっている。また、ベルト２２は、回転軸２１Ｂにおける曲がり角Ｃではプーリー３４の外周面に沿って湾曲し、その後、右上側へ延びて回転軸２１Ｃのプーリー３４に掛かっている。また、ベルト２２は、回転軸２１Ｃにおける曲がり角Ｃ（図示せず）ではプーリー３４の外周面に沿って湾曲し、その後、上方へ延びて回転軸２１Ｄのプーリー３４に掛かっている。また、ベルト２２は、回転軸２１Ｄにおける曲がり角Ｃ（図示せず）ではプーリー３４の外周面に沿って湾曲し、その後、水平に沿って左側へ延びて回転軸２１Ａのプーリー３４に掛かっている。
【００４８】
ここで、回転軸２１Ａにおけるベルト２２の曲がり角Ｃでは、収納部８（詳しくは、収納庫７１）に右側から隣接して配置されている。また、ベルト２２は、フレーム２０の上壁２０Ａの略右半分領域（第１縦壁２４より右側の領域）では、繰出部１１におけるセット部２８の切り欠き２９から露出しており、上壁２０Ａの略左半分領域では、搬送路３２の前端部に配置されている。このように４つの回転軸２１のプーリー３４に掛け回されたベルト２２は、繰出部１１、搬送路３２および収納部８（収納庫７１）を巡るように設けられている。
【００４９】
また、各回転軸２１のプーリー３４における一対のフランジ３４Ａの間に配置されることで、ベルト２２は、前後方向において位置決めされている。そのため、ベルト２２は、周方向Ｒにおけるどの部分においても、セット部２８の切り欠き２９と前後方向で同じ位置にある。なお、ベルト２２において周方向Ｒに沿って隣り合ういずれか２つの突起３５がセット部２８を左右方向からちょうど挟む位置にあるとき、この状態で静止しているベルト２２は待機位置にある。フレーム２０の右壁２０Ｃには、ベルト２２が待機状態にあるか否かを検知するセンサ３７が設けられている。前述した２つの突起３５のうちセット部２８の右側（厳密には、ガイド部２７の切り欠き３０）に位置する突起３５があり、この突起３５に対して（後述する正回転方向における上流側に）隣り合う別の突起３５が存在しているが、センサ３７の検知範囲にこの別の突起３５が常に位置していると、センサ３７は、ベルト２２が待機状態にあることを検知する。
【００５０】
駆動モータ２３は、フレーム２０内において後壁２０Ｄに固定されている。駆動モータ２３の出力軸（図示せず）と、回転軸２１Ａの後端部とには、タイミングベルト３６が掛け渡されている。駆動モータ２３が電力を受けて駆動されると、駆動モータ２３の駆動力がタイミングベルト３６を介して回転軸２１Ａに伝達され、回転軸２１Ａが回転する。これにより、ベルト２２は、４つの回転軸２１のプーリー３４に掛け回された状態で周回移動する。図３における正面視で反時計回りの方向が、ベルト２２の正回転方向（通常の周回移動方向）であり、時計回りの方向が、ベルト２２の逆回転方向である。なお、ベルト２２は、前述したように周方向Ｒにおけるどの部分においても切り欠き２９と前後方向で同じ位置にあるので、周回移動しているときに、周方向Ｒにおけるどこかの部分が前後にぶれることはない。駆動モータ２３の駆動（言い換えると、ベルト２２の周回移動）は、制御部１５（図２参照）によって制御される。具体的には、駆動モータ２３はステッピングモータであり、係員が遊技客から受け取った景品４０をセット部２８にセットしてから開始スイッチ９（図１参照）を押下すると、制御部１５は、駆動モータ２３のステップ角等の制御を行うことで、ベルト２２の周回移動を開始させる。
【００５１】
ベルト２２が正回転方向に周回移動しているとき、ベルト２２の外周面２２Ａにある各突起３５は、正回転方向に沿って周回移動する。この際、各突起３５は、フレーム２０の上壁２０Ａ（つまり、回転軸２１Ａと回転軸２１Ｄとの間の領域）においては、セット部２８の切り欠き２９と搬送路３２の前端部とを、この順で、水平方向に沿って左側へ通過する。このため、繰出部１１のセット部２８に積層状態でセットされた景品４０（図４参照）のうち最下層にある景品４０は、その右端縁が右側からやってきた突起３５に引っ掛けられることで、左側へ動かされる。これにより、当該景品４０は、右端縁に引っ掛かっている突起３５と、この突起３５に対して（ベルト２２の正回転方向における）下流側に隣り合う別の突起３５との間に挟まれた状態で、繰出部１１から繰り出される。つまり、このような突起３５を有するベルト２２は、繰出部１１のセット部２８にセットされた景品４０を突起３５で繰り出すようになっている。
【００５２】
このように繰出部１１から繰り出された景品４０は、ベルト２２の周回移動に伴って、第１縦壁２４の下方の隙間２５を通過し、水平方向（搬送面３２Ａ）に沿って搬送路３２を左側へ搬送される。そして、当該景品４０は、回転軸２１Ａ（具体的には、回転軸２１Ａにおけるベルト２２の曲がり角Ｃ）まで到達すると、搬送路３２を通過したことになり、今まで引っ掛かっていた突起３５によって左側へ押し出されることによって、左側にある収納部８の収納庫７１に投げ入れられる。このようにして、セット部２８に積層状態でセットされた景品４０が、最下層にある景品４０から順に、１枚ずつ繰り出されて搬送路３２を通過し、収納部８（収納庫７１）に投げ入れられる。つまり、周回移動するベルト２２は、その曲がり角Ｃにおいて景品４０を収納庫７１に投げ入れるようにすることで、当該曲がり角Ｃに隣接して配置された収納庫７１へと当該景品４０を確実に受け渡すことができる。
【００５３】
周回移動するベルト２２によって繰出部１１から繰り出された景品４０は、搬送路３２で搬送されている途中に、識別部６により識別が行われる。このような識別部６による景品４０の識別動作を説明するにあたり、まず、図５を参照しながら景品４０について説明する。景品４０は、本体４１と、有価物４２と、ＩＣタグ４３と、ホログラム４４とを主に有している。
【００５４】
本体４１は、略長方形形状をなす樹脂製のカードであり、景品４０の外郭をなしている。本体４１の厚さ方向における一方側の外面が景品４０の表面４０Ａであり、他方側の外面が景品４０の裏面４０Ｂである（図４参照）。本実施の形態では、本体４１の外面（つまり、景品４０の外面でもある）の色が、景品４０の金種毎に異なっている。具体的には、本体４１の外面の色は、２００円の金種では緑色であり、１０００円の金種では青色であり、２０００円の金種では黄色であり、５０００円の金種では赤色である。そのため、景品４０の本体４１の外面の色によって、景品４０の金種を目視で区別することができる。
【００５５】
有価物４２は、例えば貴金属（金や銀等）のチップであり、景品４０の外面から目視可能となるように本体４１に埋め込まれている。ちなみに、景品４０では、有価物４２を本体４１から取り出そうとする不正を防止できる構造となっている。ＩＣタグ４３には、景品４０の金種に関する情報や、個々の景品４０に割り当てられた識別情報（遊技施設の店コードや連番）等が記憶されている。このようなＩＣタグ４３は本体４１に埋め込まれている。
【００５６】
ホログラム４４は、見る角度によって色が変わる色彩可変ホログラムである。ホログラム４４は、例えば四角のシール状となっており、景品４０の表面４０Ａに貼り付けられている。図４に示すように、ホログラム４４は、例えば、略長方形形状の本体４１の表面４０Ａにおいて、短手方向においては中央に配置されているものの長手方向においては一端部または他端部に配置されている。ホログラム４４が表面４０Ａの短手方向中央に配置されていることから、景品４０がセット部２８（図３参照）にどのような向きでセットされたとしても、ホログラム４４は、ベルト２２から前後方向にずれている。このため、景品４０が識別部６により識別されるときに、景品４０のホログラム４４がベルト２２の裏に隠れることはない。
【００５７】
この景品読取機１では、景品４０において外部から見える位置にホログラム４４が貼り付けられており（すなわち、景品４０から本物のホログラム４４を読み取ることができ）、かつ、ＩＣタグ４３から金種の情報を読み取ることができると、当該景品４０が本物（正常）であると判別される。一方、景品読取機１では、ホログラム４４を読み取ることができなかった景品４０やＩＣタグ４３から金種の情報を読み取ることができなかった景品４０は偽物と判別される。
【００５８】
図６は、景品読取機１において識別部６が景品４０を識別する動作を図解的に示す模式図である。識別部６の構成について、図６を参照しながら以下に述べる。
【００５９】
図６では、繰出部１１のセット部２８にセットされた最下層の景品４０（つまり、これから搬送路３２に進入しようとする景品４０）が図示されている。図６において左側へ向けて水平に延びる黒い太線矢印は、搬送路３２での景品４０の搬送方向Ｘを示している。搬送方向Ｘと景品４０の長手方向とは一致している。
【００６０】
識別部６は、搬送路３２の上方に配置される上側識別ブロック５０と、搬送路３２の下方に配置される下側識別ブロック５１とを有している。前述したように、識別部６において上壁２０Ａの切り欠き３３から搬送路３２内に露出されている部分は、下側識別ブロック５１である（図３参照）。
【００６１】
上側識別ブロック５０および下側識別ブロック５１の各々は、繰出部１１から繰り出された景品４０からホログラム４４を読み取る読取部５２を１つずつ含んでいる。このため、上側識別ブロック５０および下側識別ブロック５１の全体で見ると、読取部５２は、搬送路３２に対して、前述した搬送方向Ｘに交差（厳密には、直交）する上下方向における両側に配置されるように一対設けられていることになる。また、本実施の形態では、一対の読取部５２は、搬送方向Ｘにおいて同じ位置（同位相の位置）に配置されており、搬送路３２を挟んで対向配置されている。このように一対の読取部５２を対向配置しておけば、表裏のどちらか（ここでは、表面４０Ａ）にしかホログラム４４が設けられていない景品４０が、表裏の向きが不明な状態で搬送されてきても、景品４０の両側に位置する一対の読取部５２のどちらかが、必ず景品４０のホログラム４４を読み取ることができる。
【００６２】
各読取部５２は、ケーシング５３と、投光手段としてのＬＥＤ発光部５４と、複数（ここでは２つ）のカラーセンサ５５とを有している。ケーシング５３はボックス状のものであり、ＬＥＤ発光部５４およびカラーセンサ５５を収容している。ケーシング５３において搬送路３２を臨む面には、ＬＥＤ発光部５４およびカラーセンサ５５を搬送路３２側へ露出させる開口が形成されている。
【００６３】
ＬＥＤ発光部５４は、ケーシング５３の開口から、搬送方向Ｘにおける上流側（図６における右側）へ向けて、搬送面３２Ａ（水平方向）に対して傾斜する方向（図６における細い実線矢印参照）へ光（例えば、白色光）を投光する発光部品である。ここで、紙幣等の紙とは異なり、景品４０にはある程度の厚みがあるので、一対の読取部５２の各々におけるＬＥＤ発光部５４からの光は景品４０を通過しないようになる。よって、一対の読取部５２は、前述したように搬送路３２での景品４０の搬送方向Ｘにおける同じ位置において搬送路３２を挟むように対向配置されていても、景品４０からのホログラム４４の読み取りを互いに邪魔し合うことがない。
【００６４】
カラーセンサ５５は、投光された物体の外面における反射光を受光することによって、当該外面の色を読み取るセンサである。レイアウトの一例として、各読取部５２において、２つのカラーセンサ５５は、搬送方向ＸにおいてＬＥＤ発光部５４よりも上流側（図６における右側）に配置されている。以下、各読取部５２における２つのカラーセンサ５５を、カラーセンサ５５Ａとカラーセンサ５５Ｂとに区別する。カラーセンサ５５Ａは、搬送面３２Ａ（搬送路３２）を略鉛直方向に沿って臨んでいる（具体的には、上側識別ブロック５０の場合は真上から臨んでおり、下側識別ブロック５１の場合は真下から臨んでいる）。一方、カラーセンサ５５Ｂは、搬送面３２Ａ（搬送路３２）を、搬送面３２Ａに対して傾斜する方向に沿って搬送方向Ｘにおける上流側から臨んでいる（具体的には、上側識別ブロック５０の場合は右上側から臨んでおり、下側識別ブロック５１の場合は右下側から臨んでいる）。具体的には、各読取部５２では、カラーセンサ５５Ａにおいて物体（検知対象）からの反射光を受光する面（受光面５８）とカラーセンサ５５Ｂの受光面５８とは、正面視において直交するよう配置されている。なお、以上に説明した各読取部５２における各カラーセンサ５５およびＬＥＤ発光部５４のレイアウトはあくまで一例であり、別の構成（例えば、下側識別ブロック５１の読取部５２において、２つのカラーセンサ５５がＬＥＤ発光部５４よりも下流側に配置される構成）もあり得る。
【００６５】
各読取部５２において、ＬＥＤ発光部５４および２つのカラーセンサ５５は、ケーシング５３に収容された基板（図示せず）に接続されている。また、下側識別ブロック５１において、読取部５２よりも左側（搬送方向Ｘにおける下流側）には、ＩＣリーダライタ５７が設けられている。ＩＣリーダライタ５７は、景品４０のＩＣタグ４３と無線通信することによって、当該ＩＣタグ４３に記憶された情報を読み取るようになっている。
【００６６】
次に、このような構成からなる識別部６により景品４０を識別する動作について述べる。ベルト２２によってセット部２８から繰り出されて搬送路３２に進入した景品４０の左端部（景品４０の長手方向における一端部であって、搬送方向Ｘにおける下流側の端部でもある）が、搬送方向Ｘにおいて読取部５２と同じ位置（厳密には、ＬＥＤ発光部５４からの光が当たる位置）まで到達すると、制御部１５（図２参照）は、ベルト２２の周回移動を一時停止させる。これにより、景品４０が停止する。このときの搬送方向Ｘにおける景品４０の位置を、第１停止位置ということにする。なお、景品４０の搬送方向Ｘにおける両側には当該景品４０を挟むようにベルト２２の突起３５が位置しているので、ベルト２２の周回移動の一時停止に応じて、景品４０は、行き過ぎることなく第１停止位置で速やかに停止する。
【００６７】
繰り出された景品４０が第１停止位置で停止すると、上側識別ブロック５０のＬＥＤ発光部５４から当該景品４０の上面（表面４０Ａおよび裏面４０Ｂの一方）に投光され、下側識別ブロック５１のＬＥＤ発光部５４から景品４０の下面（表面４０Ａおよび裏面４０Ｂの他方）に投光される。景品４０の上面に投光された光は、当該上面で上向きに反射する反射光となり、上側識別ブロック５０の２つのカラーセンサ５５のそれぞれの受光面５８に受光される。ここでの反射光の向きは、カラーセンサ５５Ａに受光される反射光（図６における一点鎖線矢印）と、カラーセンサ５５Ｂに受光される反射光（図６における二点鎖線矢印）とで異なる。つまり、上側識別ブロック５０の２つのカラーセンサ５５は、ＬＥＤ発光部５４によって投光された景品４０の上面の色を別々の角度から読み取る。
【００６８】
また、景品４０の下面に投光された光は、当該下面で下向きに反射する反射光となり、下側識別ブロック５１の２つのカラーセンサ５５のそれぞれの受光面５８に受光される。ここでの反射光の向きは、カラーセンサ５５Ａに受光される反射光（図６における一点鎖線矢印）と、カラーセンサ５５Ｂに受光される反射光（図６における二点鎖線矢印）とで異なる。つまり、下側識別ブロック５１の２つのカラーセンサ５５は、ＬＥＤ発光部５４によって投光された景品４０の下面の色を別々の角度から読み取る。
【００６９】
ここで、景品４０の左端部にホログラム４４が位置していれば、上側識別ブロック５０および下側識別ブロック５１のいずれかにおけるＬＥＤ発光部５４によって投光された光はホログラム４４で反射する。そして、上側識別ブロック５０および下側識別ブロック５１のいずれかにおける２つのカラーセンサ５５が、ＬＥＤ発光部５４によって投光された景品４０におけるホログラム４４の色を別々の角度から読み取る。ただし、図６の場合、景品４０の左端部でなく、右端部（景品４０の長手方向における他端部であって、搬送方向Ｘにおける上流側の端部でもある）にホログラム４４が位置している。そのため、上側識別ブロック５０および下側識別ブロック５１のどちらの読取部５２も、第１停止位置の景品４０からホログラム４４を読み取ることができない。
【００７０】
第１停止位置の景品４０からホログラム４４を読み取ることができなかった場合、制御部１５は、ベルト２２の周回移動を再開する。そして、景品４０の右端部が、搬送方向Ｘにおいて読取部５２と同じ位置（ＬＥＤ発光部５４からの光が当たる位置）まで到達すると、制御部１５は、ベルト２２の周回移動を再度一時停止させる。これにより、景品４０は、第１停止位置よりも搬送方向Ｘにおいて少し下流側へずれた位置で停止する。このときの搬送方向Ｘにおける景品４０の位置を第２停止位置という。このときも、景品４０の搬送方向Ｘにおける両側に位置するベルト２２の突起３５のおかげで、景品４０は行き過ぎることなく第２停止位置で速やかに停止する。なお、第１停止位置で景品４０からホログラム４４を読み取ることができた場合にも、当該景品４０を第２停止位置で停止させてホログラム４４を再度読み取るようにしてもよい。
【００７１】
景品４０が第２停止位置で停止すると、上側識別ブロック５０のＬＥＤ発光部５４から景品４０の上面へ再び投光され、また、下側識別ブロック５１のＬＥＤ発光部５４から景品４０の下面へ再び投光される。景品４０の上面に投光された光は、当該上面で上向きに反射する反射光となり、上側識別ブロック５０の２つのカラーセンサ５５のそれぞれに受光され、当該２つのカラーセンサ５５は、ＬＥＤ発光部５４によって投光された景品４０の上面の色を別々の角度から読み取る。また、景品４０の下面に投光された光は、当該下面で下向きに反射する反射光となり、下側識別ブロック５１の２つのカラーセンサ５５のそれぞれに受光され、当該２つのカラーセンサ５５は、ＬＥＤ発光部５４によって投光された景品４０の下面の色を別々の角度から読み取る。図６の場合、景品４０の上面が表面４０Ａであり、表面４０Ａの右端部にホログラム４４が位置しているので、景品４０の上面側に位置する上側識別ブロック５０の読取部５２が、第２停止位置の景品４０からホログラム４４を読み取ることができる。この際に、上側識別ブロック５０の２つのカラーセンサ５５は、ホログラム４４の色を別々の角度から読み取る。
【００７２】
ホログラム４４は、前述したように見る方向によって色が変わる。よって、今回のように上側識別ブロック５０の２つのカラーセンサ５５がホログラム４４の色を別々の角度から読み取る場合、例えば、カラーセンサ５５Ａがホログラム４４から赤色を読み取るのに対し、カラーセンサ５５Ｂがホログラム４４から緑色を読み取る。各カラーセンサ５５がホログラム４４から読み取った色に係る情報は制御部１５に送信される。制御部１５は、識別部６（上側識別ブロック５０または下側識別ブロック５１）の２つのカラーセンサ５５のそれぞれが読み取ったホログラム４４の色の違い（厳密には、ホログラム４４からの反射光における色彩ＲＧＢデータの違い）から、搬送路３２上の景品４０におけるホログラム４４の真偽（言い換えると、景品４０自体の真偽）を判別（すなわち、識別）する。具体的には、上側識別ブロック５０または下側識別ブロック５１において、カラーセンサ５５Ａがホログラム４４から赤色を読み取ったのに対し、カラーセンサ５５Ｂがホログラム４４から緑色を読み取ったのであれば、読取部５２は景品４０から本物のホログラム４４を読み取れたことになり、制御部１５は、当該ホログラム４４を本物と判別する。逆に、カラーセンサ５５Ａおよびカラーセンサ５５Ｂがホログラム４４から同じ色を読み取ったり、カラーセンサ５５Ｂがホログラム４４から緑色以外の色を読み取ったりすると、読取部５２は景品４０から本物のホログラム４４を読み取れたことにはならず、制御部１５はホログラム４４を偽物と判別する。
【００７３】
なお、図６の場合では、上側識別ブロック５０の読取部５２だけが景品４０からホログラム４４を読み取れることにより、制御部１５は、ホログラム４４（景品４０）の真偽の判別だけでなく、当該景品４０の表裏の向きを把握することもできる。つまり、上下一対の読取部５２（上側識別ブロック５０の読取部５２および下側識別ブロック５１の読取部５２）のどちらが搬送路３２上の景品４０からホログラム４４を読み取ったかに応じて、制御部１５は、当該景品４０の表裏を判別することができる。このため、景品４０の表裏を反転させる機構が景品読取機１に設けられていれば、識別が行われた景品４０を、その表裏を揃えて収納庫７１に収納することができる。
【００７４】
以上のようにいずれかの読取部５２が第２停止位置の景品４０からホログラム４４を読み取ることができた場合、制御部１５はベルト２２の周回移動を再開する。そして、景品４０のＩＣタグ４３が搬送方向Ｘにおいて下側識別ブロック５１のＩＣリーダライタ５７とほぼ同じ位置まで到達すると、制御部１５は、ベルト２２の周回移動を再度一時停止させる。これにより、景品４０は、第２停止位置よりも搬送方向Ｘにおいて少し下流側へずれた位置で停止する。このときの搬送方向Ｘにおける景品４０の位置を第３停止位置という。このときも、景品４０の搬送方向Ｘにおける両側に位置するベルト２２の突起３５のおかげで、景品４０は行き過ぎずに第３停止位置で速やかに停止する。
【００７５】
なお、どちらかの読取部５２が第１停止位置の景品４０からホログラム４４を読み取ることができた場合には、制御部１５は、ベルト２２の周回移動を再開した後、景品４０を第２停止位置で停止させることなくベルト２２の周回移動を継続し、景品４０が第３停止位置にくると、ベルト２２の周回移動を一時停止させる。
【００７６】
ＩＣリーダライタ５７は、第３停止位置で停止している景品４０のＩＣタグ４３に記憶された情報（特に、景品４０の金種の情報）を読み取ることができる。この情報は、制御部１５（図２参照）に送られるので、制御部１５は、この情報に基づいて、当該景品４０の金種を判別する。
【００７７】
そして、制御部１５は、以上のように第１停止位置または第２停止位置で景品４０のホログラム４４を本物と判別し、かつ、ＩＣリーダライタ５７が第３停止位置の当該景品４０のＩＣタグ４３から読み取った情報に基づいて当該景品４０の金種を判別した場合のみ、当該景品４０を本物（正常景品）と判別する。逆に、ホログラム４４を本物と判別できなかったり、金種を判別できなかったりした景品４０については、制御部１５は、当該景品４０を偽物（リジェクト景品）と判別する。ちなみに、制御部１５は、第１停止位置または第２停止位置で景品４０のホログラム４４を本物と判別できなければ、金種の判別結果を問わずに、当該景品４０を偽物と判別してもよい。いずれにせよ、制御部１５は、上下の読取部５２のいずれかが搬送路３２上の景品４０から本物のホログラム４４を読み取ったか否かによって当該景品４０の真偽を自動判別（自動識別）する。よって、景品読取機１では、ホログラム４４を用いて景品４０のセキュリティ向上を図ることができる。特に、ホログラム４４が色彩可変ホログラムであるので、各カラーセンサ５５が読み取ったホログラム４４の色がそれぞれ違うようになり、制御部１５は、複数のカラーセンサ５５のそれぞれが読み取ったホログラム４４の色の違いから景品４０の真偽を正確に判別することができる。
【００７８】
なお、制御部１５は、景品４０の真偽を１枚ずつ判別することによって、正常景品４０およびリジェクト景品４０のそれぞれを計数することができる。さらに、制御部１５は、正常景品４０については、金種毎に計数することができる。
【００７９】
繰出部１１から繰り出されて搬送される景品４０が、前述したように第１〜第３停止位置で停止することから、制御部１５は、景品４０が繰り出し途中および／または搬送途中にある場合において、ベルト２２の周回移動を停止させている。このようにベルト２２の周回移動を一旦停止して、静止状態の（移動中でない）景品４０を識別部６で識別するようにすれば、景品４０の識別精度の向上を図ることもできる。
【００８０】
ここで、制御部１５は、必要に応じて、ベルト２２の周回移動を停止させるだけでなく、ベルト２２の周回方向を逆転させてもよい。また、制御部１５は、繰出部１１における景品４０の繰り出し不良および／または識別部６による景品４０の識別不良が発生した場合に、ベルト２２の周回移動を停止したり、ベルト２２の周回方向を逆転させたりしてもよい。これにより、例えば、繰り出し不良（例えば、セット部２８と搬送路３２とのつなぎ目での景品４０の詰まり等）の発生時には、ベルト２２の周回移動を停止させて搬送途中の景品４０を取り出し、繰出部１１にセットし直すことができる。一方、識別不良（識別部６が景品４０から必要な情報を読み取れないこと）の発生時には、ベルト２２の周回方向を逆転させることで、１つ前の景品４０を搬送していた突起３５により、識別不良があった景品４０を制御部１５の識別領域（第１〜第３停止位置のいずれか）まで戻して再識別することができる。よって、不具合発生時において使い勝手の向上を図ることができる。
【００８１】
そして、第３停止位置における景品４０の真偽の判別（金種の判別）が完了すると、制御部１５は、ベルト２２の周回移動を再開する。その結果、真偽の識別を受けた景品４０は、前述したように、回転軸２１Ａにおけるベルト２２の曲がり角Ｃまで到達すると、ベルト２２の突起３５（景品４０に上流側から引っ掛かっている突起３５）によって左側へ押し出されることによって、左側にある収納部８の収納庫７１に投げ入れられる。
【００８２】
以上の説明では、ホログラム４４が１種類だけ存在し、どの金種の景品４０であっても、カラーセンサ５５Ａが当該ホログラム４４から赤色を読み取って、カラーセンサ５５Ｂが当該ホログラム４４から緑色を読み取ったのであれば、ホログラム４４を本物と判別するようになっている。これに対し、ホログラム４４の種類が景品４０の金種に応じて複数存在してもよい。この場合には、読取部５２のカラーセンサ５５によるホログラム４４の読取結果によって制御部１５は景品４０の金種を判別することができるようになり、ＩＣタグ４３がなくても景品４０の金種判別が可能となる。つまり、景品４０の金種に応じて複数種類設けられたホログラム４４によって、景品４０の真偽を判別するだけでなく景品４０の金種を判別することもできる。
【００８３】
また、前述したように景品４０の外面（ホログラム４４以外の部分）の色は、金種毎に異なっている（具体的には、例えば、２００円の金種は緑色であり、１０００円の金種は青色であり、２０００円の金種は黄色であり、５０００円の金種は赤色である）。ここで、制御部１５は、カラーセンサ５５Ａおよびカラーセンサ５５Ｂが景品４０の外面から同じ色を読み取った場合に、この読み取った色から当該景品４０の金種を判別するようになっていてもよい。ただし、景品４０では、表面４０Ａおよび裏面４０Ｂのどちらか一方の色が単色であって他方に模様が入っていることがある。その場合には、ホログラム４４の位置に基づいて表面４０Ａおよび裏面４０Ｂのどちらか一方（単色である外面）を先立って把握しておいてから、当該一方から読み取った色によって当該景品４０の金種を判別するとよい。
【００８４】
以上で説明した識別部６では、各読取部５２を構成するカラーセンサ５５の数は、２つに限らず、３つ以上であってもよく、その場合、それぞれのカラーセンサ５５は、それぞれに異なる角度でホログラム４４の色を読み取る。そうすれば、ホログラム４４の識別を更に高精度で行うことができる。
【００８５】
また、景品４０に設けられたＩＣタグ４３から情報を読み取る構成の代わりに、景品４０に設けたバーコード（図示せず）を、バーコードリーダを有する識別部６で読み取る構成を用いることができる。もちろん、ＩＣタグ４３とバーコードとを併用してもよい。
【００８６】
次に、識別部６により識別が行われた景品４０の収納先となる収納部８について説明する。収納部８は、搬送部５での搬送を終えた景品４０が収納される収納庫７１を有している。図１に示すように、この収納庫７１は、縦長の中空体であり、左壁７３（図１では本体２の裏に隠れている）と、右壁７４と、後壁７５と、ステージ７６とを有している。左壁７３および右壁７４は、ともに左右方向に薄く上下に長い長方形形状の板状のものであり、左右に間隔を隔てて対向配置されている。右壁７４は、収納庫７１において搬送部５に対して左側に隣接する部分であり、この右壁７４において搬送路３２と上下方向で一致する位置には開口７４Ａが設けられている。開口７４Ａは、搬送路３２を通過した景品４０を余裕をもって通過させる大きさを有しており、右壁７４の上下方向略中央に位置している。後壁７５は、前後方向に薄く上下に長い長方形の板状のものであり、左壁７３および右壁７４の後端縁間に架設されている。後壁７５の右側には、後壁７５の上下方向におけるほぼ全域に亘って上下に延びるガイド溝７５Ａが形成されている。ガイド溝７５Ａは、後壁７５の厚さ方向（前後方向）に貫通している。これらの左壁７３と右壁７４と後壁７５とによって囲まれた縦長の直方体形状の空間は、収納庫７１の内部空間７７である。内部空間７７は、左壁７３の前端縁と右壁７４の前端縁との間から、前方（景品読取機１の正面）へ開放（露出）されている。また、内部空間７７は、右壁７４の開口７４Ａを介して搬送路３２に連通している（図６参照）。
【００８７】
ステージ７６は、上下に薄い板状のものであり、平面視において内部空間７７にちょうど収まる略矩形状となっている。このようなステージ７６は、複数（ここでは２つ）設けられている。これらの２つのステージ７６は、上下に間隔を隔てた状態で内部空間７７内に収容されている。２つのステージ７６のうち、下側のステージ７６を下側ステージ７６Ａといい、上側のステージ７６を上側ステージ７６Ｂということにする。内部空間７７（厳密には、下側ステージ７６Ａよりも上側の領域）は、下側ステージ７６Ａおよび上側ステージ７６Ｂによって上下２つの収納エリア７９に区切られている。具体的には、２つの収納エリア７９のうち、一方は、下側ステージ７６Ａと上側ステージ７６Ｂとの間の（相対的に下側に位置する）下側収納エリア７９Ａであり、他方は、上側ステージ７６Ｂよりも上側に位置する上側収納エリア７９Ｂである。搬送路３２における景品４０の搬送方向Ｘは、前述したように水平方向であることから（図６参照）、上下２つの収納エリア７９は、当該搬送方向Ｘに対する交差方向（厳密には直交方向）である上下方向に内部空間７７をステージ７６で区切ることによって構成されており、上下方向に並んで隣接配置されている。このため、複数の収納エリア７９を搬送方向Ｘ（幅方向）に並べて配置する場合に比べて、当該搬送方向Ｘにおける景品読取機１の小型化を図ることができる。また、収納エリア７９およびステージ７６がそれぞれ２つ設けられていることから、収納エリア７９およびステージ７６が同数設けられていることが分かる。
【００８８】
また、収納部８において、図示しない駆動モータにより、下側ステージ７６Ａおよび上側ステージ７６Ｂは、これらの下側ステージ７６Ａおよび上側ステージ７６Ｂの上下の間隔を維持した状態（つまり、一体となった状態）で、上昇したり下降したりするようになっている。このような駆動モータの駆動は制御部１５（図２参照）によって制御される。
【００８９】
本実施の形態では、下側ステージ７６Ａと上側ステージ７６Ｂとの間の下側収納エリア７９Ａには正常景品４０が収納されるようになっており、また、上側ステージ７６Ｂよりも上側に位置する上側収納エリア７９Ｂにはリジェクト景品４０が収納されるようになっている。具体的には、制御部１５は、識別部６での景品４０の識別結果に基づいて、当該景品４０を本物と判別した場合、下側ステージ７６Ａおよび上側ステージ７６Ｂを一体的に上昇させることにより、右壁７４の開口７４Ａを通過した景品４０が下側ステージ７６Ａの上面に載置されるようにする。このことにより、下側収納エリア７９Ａへの正常景品４０の収納が達成される。また、既に下側収納エリア７９Ａに正常景品４０が収納された状態で、後続の正常景品４０を下側収納エリア７９Ａに収納する場合には、両方のステージ７６を徐々に下降させる。このようにして、下側収納エリア７９Ａには最大で例えば２１枚の正常景品４０を上下に積層状態で収納することができる。
【００９０】
一方、制御部１５は、識別部６での景品４０の識別結果に基づいて、当該景品４０を偽物と判別した場合、下側ステージ７６Ａおよび上側ステージ７６Ｂを一体的に下降させることにより、右壁７４の開口７４Ａを通過した景品４０が上側ステージ７６Ｂの上面に載置されるようにする。このことにより、上側収納エリア７９Ｂへのリジェクト景品４０の収納が達成される。また、既に上側収納エリア７９Ｂにリジェクト景品４０が収納されている状態で、後続のリジェクト景品４０を上側収納エリア７９Ｂに収納する場合には、両方のステージ７６を徐々に下降させる。このようにして、上側収納エリア７９Ｂには最大で例えば３枚のリジェクト景品４０を上下に積層状態で収納することができる。
【００９１】
本実施の形態に係る景品読取機１では、識別部６により景品４０の識別が行われた場合に、個々の景品４０に割り当てられた識別情報が取得されるようになっており、制御部１５は、所定の期間において（例えば、遊技施設の一日の営業終了後に行われる締め処理までの期間において）、この取得された識別情報（具体的には、景品４０の連番）が、識別部６により既に正常に識別された景品４０の識別情報（景品４０の連番）と一致するか否かの判別を行う識別情報チェックモードを実行可能となっている。また、制御部１５において、このような識別情報チェックモードを行うか否かの設定を行うことができるようになっている。具体的には、制御部１５において識別情報チェックモードを行うか否かは、例えば係員が操作表示部７のメンテナンス画面で設定することができるようになっている。そして、識別情報チェックモードを行うことが制御部１５において設定されている場合には、識別部６により景品４０の識別が行われることにより取得された識別情報が、識別部６により既に正常に識別された景品４０の識別情報と一致すると、制御部１５は、当該景品４０は正常な景品ではない（すなわち、偽物である）と判別する。この場合には、当該景品４０はリジェクト景品４０として収納庫７１における上側収納エリア７９Ｂに収納されるようになり、また、操作表示部７において警告表示がなされるようになる。このように識別情報チェックモードを行うことにより、景品読取機１における景品読取のセキュリティのレベルを向上させることができる。
【００９２】
また、本実施の形態に係る景品読取機１では、制御部１５は、識別部６により正常に識別することができなかった景品４０（すなわち、リジェクト景品４０）がある場合に、識別部６により正常に識別することができなかった景品４０を、同じ金種の他の景品４０（例えば、識別部６により既に正常に識別された景品４０）と交換した後に識別部６により景品４０の再識別を行う代替読取モードを実行可能となっている。このような代替読取モードを行うと、識別部６により正常に識別することができなかったリジェクト景品４０についても、同じ金種の他の景品４０と交換することにより、識別部６により機械的な読み取りを行うことができるようになり、このようなリジェクト景品４０について係員が当該リジェクト景品４０の情報を操作表示部７により手入力する必要がなくなる。また、制御部１５において、このような代替読取モードを行うか否かの設定を行うことができるようになっている。具体的には、制御部１５において代替読取モードを行うか否かは、例えば係員が操作表示部７のメンテナンス画面で設定することができるようになっている。このような代替読取モードについて図７に示すフローチャートおよび図８乃至図１０に示す操作表示部７での表示画面を用いて以下に説明する。なお、図７に示すフローチャートは、識別部６により正常に識別することができなかった景品４０がある場合における景品読取機１の動作の流れを示すものである。
【００９３】
遊技客が受け取った景品４０を係員が景品読取機１のセット部２８にセットし、このセット部２８にセットされた景品４０が全てベルト２２により繰り出されて識別部６により識別が行われた後に収納部８の収納庫７１に収納されたときに、識別部６での景品４０の識別結果に基づいて、全ての景品４０が正常景品４０でありリジェクト景品４０が存在しなかった場合には（すなわち、収納庫７１の上側収納エリア７９Ｂにリジェクト景品４０が収納されていない場合には）（ＳＴＥＰ１の「Ｎｏ」）、識別部６での景品４０の識別結果（具体的には、遊技客から受け取った景品４０の内訳等）に係る情報が景品読取機１から現金払出機に送信される。また、この際に、操作表示部７には図８に示すような画面が表示され、景品読取機１により更なる景品４０の読み取りを行うか、あるいは現金払出機により現金の払い出しを行うかの何れかの処理を行うことを係員に催促するようになる。そして、図８に示すような操作表示部７の表示画面において、係員が「払出」ボタンを押下すると（ＳＴＥＰ２の「Ｙｅｓ」）、現金払出機から、遊技客の景品４０に相当する現金が払い出され遊技客に渡される（ＳＴＥＰ３）。
【００９４】
一方、遊技客が受け取った景品４０を係員が景品読取機１のセット部２８にセットし、このセット部２８にセットされた景品４０が全てベルト２２により繰り出されて識別部６により識別が行われた後に収納部８の収納庫７１に収納されたときに、識別部６での景品４０の識別結果に基づいて、リジェクト景品４０が存在する場合には（すなわち、収納庫７１の上側収納エリア７９Ｂにリジェクト景品４０が収納されている場合には）（ＳＴＥＰ１の「Ｙｅｓ」）、景品読取機１において以下に示すような処理が行われる。
【００９５】
リジェクト景品４０が存在する場合において（ＳＴＥＰ１の「Ｙｅｓ」）、制御部１５において識別情報チェックモードが有効であり（ＳＴＥＰ４の「Ｙｅｓ」）、かつ代替読取モードが有効である（ＳＴＥＰ５の「Ｙｅｓ」）ときには、代替読取モードおよび手入力モードのうち何れか一方のモードが操作表示部７により選択可能となる。具体的には、操作表示部７には図９に示すような代替読取モードおよび手入力モードの選択画面が表示される（ＳＴＥＰ６）。
【００９６】
そして、図９に示すような操作表示部７の表示画面において、係員が「代替買取」ボタンを押下した場合には（ＳＴＥＰ８の「Ｙｅｓ」）、制御部１５は代替読取モードへ遷移する（ＳＴＥＰ９）。このような代替読取モードでは、制御部１５において識別情報チェックモードが一時的に無効となる。このことにより、係員は、識別部６により正常に識別することができなかった景品４０（すなわち、収納庫７１の上側収納エリア７９Ｂに収納されたリジェクト景品４０）を、同じ金種の他の景品４０（例えば、識別部６により既に既に正常に識別された景品４０）と交換した後に識別部６により景品４０の再識別を行うことができるようになる。具体的には、識別部６により正常に識別することができなかった景品４０を収納庫７１の上側収納エリア７９Ｂから取り出すとともに当該景品４０と交換した他の景品４０をセット部２８に再セットし、このセット部２８にセットされた景品４０をベルト２２により繰り出して識別部６により再識別を行う。このような代替読取モードが行われる場合には、リジェクト景品４０に係る情報を手入力しなくても当該リジェクト景品４０の処理を行うことができるようになり、このため違算の発生を防止するとともに景品４０の処理時間を短縮することができるようになる。なお、このような代替読取モードは、景品読取機１に通信可能に接続された現金払出機により遊技客の景品４０に相当する現金が遊技客に払い出されるまでの一取引の間においてのみ実行可能となっている。つまり、現金払出機により遊技客の景品４０に相当する現金が遊技客に払い出されることにより取引が完了すると、代替読取モードが終了して通常の取引モードに戻り、制御部１５において識別情報チェックモードが有効となる。
【００９７】
一方、図９に示すような操作表示部７の表示画面において、係員が「手買取」ボタンを押下した場合には（ＳＴＥＰ１０の「Ｙｅｓ」）、制御部１５は手入力モードへ遷移する（ＳＴＥＰ１１）。このような手入力モードでは、係員は、識別部６により正常に識別することができなかった景品４０（すなわち、収納庫７１の上側収納エリア７９Ｂに収納されたリジェクト景品４０）に係る金額等の情報を操作表示部７により手入力するようになる。係員によって操作表示部７により手入力された景品４０の金額は、識別部６により正常に識別された景品４０の合計金額と合算され、この合算された金額が景品読取機１から現金払出機に送信されることにより、現金払出機から、遊技客の景品４０に相当する現金が遊技客に払い出されるようになる。
【００９８】
また、図９に示すような操作表示部７の表示画面において、係員が「代替買取」ボタンや「手買取」ボタンを押下せずに、代わりに「キャンセル」ボタンを押下した場合には（ＳＴＥＰ１２の「Ｙｅｓ」）、景品読取機１における景品４０の買取処理が無効となる（ＳＴＥＰ１３）。この場合には、識別部６による景品４０の識別結果が破棄されるようになる。また、この場合には、係員は収納部８の収納庫７１から景品４０を全て取り出してこれらの取り出された景品４０に係る情報を操作表示部７により手入力するようになる。
【００９９】
また、リジェクト景品４０が存在する場合において（ＳＴＥＰ１の「Ｙｅｓ」）、制御部１５において識別情報チェックモードが有効でなかったり（ＳＴＥＰ４の「Ｎｏ」）、あるいは代替読取モードが有効でなかったりした（ＳＴＥＰ５の「Ｎｏ」）場合には、手入力モードのみが操作表示部７により選択可能となる。具体的には、操作表示部７には図１０に示すような手入力モードの選択画面が表示される（ＳＴＥＰ７）。図１０に示すような操作表示部７の表示画面において、係員が「手買取」ボタンを押下した場合には（ＳＴＥＰ１０の「Ｙｅｓ」）、制御部１５は手入力モードへ遷移する（ＳＴＥＰ１１）。このような手入力モードでは、係員は、識別部６により正常に識別することができなかった景品４０（すなわち、収納庫７１の上側収納エリア７９Ｂに収納されたリジェクト景品４０）に係る金額等の情報を操作表示部７により手入力するようになる。一方、図１０に示すような操作表示部７の表示画面において、係員が「手買取」ボタンを押下せずに、代わりに「キャンセル」ボタンを押下した場合には（ＳＴＥＰ１２の「Ｙｅｓ」）、景品読取機１における景品４０の買取処理が無効となる（ＳＴＥＰ１３）。なお、図７に示すフローチャートにおいて、手入力モードのみが操作表示部７により選択可能となった場合には、ＳＴＥＰ１２の「Ｎｏ」の行き先は二点鎖線で示す矢印となる。
【０１００】
また、本実施の形態では、景品読取機１においてエラーが発生したときにも制御部１５において代替読取モードが実行可能となっていてもよい。ここで、景品読取機１におけるエラーは、少なくとも景品読取機１の機体内での景品４０の詰まり（具体的には、例えば、繰出部１１と搬送路３２とのつなぎ目や、搬送路３２と収納庫７１とのつなぎ目における景品４０の詰まり）の発生のことをいう。この場合には、景品読取機１の機体内で詰まりが発生した景品４０についても、同じ金種の他の景品４０と交換することにより、識別部６により機械的な読み取りを行うことができるようになり、このような景品読取機１の機体内で詰まりが発生した景品４０について係員が当該景品４０の情報を操作表示部７により手入力する必要がなくなる。
【０１０１】
また、本実施の形態に係る景品読取機１では、記憶部１６には、代替読取モードが実行されているときの識別部６による景品４０の識別情報や手入力モードが実行されているときの識別部６による景品４０の識別情報を、代替読取モードや手入力モードが実行されていないときの通常の読取モードでの識別部６による景品４０の識別情報と区別して記憶するようになっている。また、識別部６による景品４０の識別情報を操作表示部７に表示する際に、代替読取モードが実行されているときの識別部６による景品４０の識別情報や手入力モードが実行されているときの識別部６による景品４０の識別情報を、通常の読取モードでの識別部６による景品４０の識別情報と区別して表示することができるようになっている。
【０１０２】
具体的には、図８に示すような操作表示部７の表示画面において「過去取引」ボタンを押下すると、操作表示部７には図１１に示すような過去取引の内容が表示される。この際に、図１１に示すように、操作表示部７には取引時刻（すなわち、景品読取機１により景品４０の読み取りが行われた時刻）が表示される。ここで、景品読取機１による景品４０の読み取り動作において代替読取モードが実行されたときには、取引時刻の右側に「代」のアイコンが表示され、また、景品読取機１による景品４０の読み取り動作において手入力モードが実行されたときには、取引時刻の右側に「手」のアイコンが表示される。このことにより、操作表示部７に表示される過去取引の内容において、代替読取モードや手入力モードが実行されたときの取引の内容を係員は認識することができるようになる。
【０１０３】
以上のような構成からなる本実施の形態の景品読取機１やこの景品読取機１を用いた景品読取方法によれば、識別部６により正常に識別することができなかった景品４０がある場合に、識別部６により正常に識別することができなかった景品４０と他の景品４０とを交換した後に識別部６により景品４０の再識別を行う代替読取モードを実行可能となっている。識別部６により正常に識別することができなかった景品４０がある場合にこのような代替読取モードを実行することにより、景品４０に係る情報を手入力しなくても当該景品４０の処理を行うことができるようになり、このため違算の発生を防止するとともに景品４０の処理時間を短縮することができる。なお、識別部６により正常に識別することができなかった景品４０と交換される「他の景品」は、例えば識別部６により既に正常に識別された景品４０である。
【０１０４】
また、本実施の形態による景品読取機１においては、前述したように、識別部６は、景品４０の識別を行う際に当該景品４０の識別情報（具体的には、景品４０の連番）を取得するようになっており、代替読取モードが実行される際には、識別部６により景品４０の識別が行われたときに、少なくとも、取得された識別情報が識別部６により既に識別が行われた景品４０の識別情報と一致するか否かの判別が行われないようになっている。この場合には、通常の景品４０の読取モードでは識別情報チェックモードを実行することにより景品読取機１における景品読取のセキュリティのレベルを向上させることができ、一方、代替読取モードが実行される際には識別情報チェックモードを一時的に無効にすることにより、識別部６により正常に識別することができなかった景品４０についても他の景品４０と交換することにより当該他の景品４０について機械的な読み取りが可能となる。
【０１０５】
また、本実施の形態による景品読取機１においては、前述したように、制御部１５は、識別部６により正常に識別することができなかった景品４０に係る情報を係員が操作表示部７により手入力する手入力モードも実行可能となっており、識別部６により正常に識別することができなかった景品４０がある場合に、代替読取モードおよび手入力モードのうち何れか一方のモードを操作表示部７により選択可能となっている。このことにより、識別部６により正常に識別することができなかった景品４０がある場合に、係員は必要に応じて代替読取モードおよび手入力モードのうち何れか一方のモードを選択して実行することができるため、景品読取機１の操作性を向上させることができる。
【０１０６】
また、本実施の形態による景品読取機１においては、前述したように、識別部６により景品４０の識別が行われた場合に、取得された識別情報が識別部６により既に正常に識別された景品４０の識別情報と一致するか否かの判別を行う識別情報チェックモードを行うか否かの設定が制御部１５において行われるようになっている。また、識別部６により正常に識別することができなかった景品４０がある場合に、少なくとも識別情報チェックモードを行うことが制御部１５において設定されているときにおいて、代替読取モードおよび手入力モードのうち何れか一方のモードを操作表示部７により選択可能となっている。また、制御部１５において、代替読取モードを行うか否かの設定が行われるようになっており、識別部６により正常に識別することができなかった景品４０がある場合に、少なくとも代替読取モードを行うことが制御部１５において設定されているときにおいて、代替読取モードおよび手入力モードのうち何れか一方のモードを操作表示部７により選択可能となっている。
【０１０７】
また、本実施の形態による景品読取機１においては、前述したように、景品読取機１においてエラーが発生したときにも制御部１５において代替読取モードが実行可能となる。ここで、景品読取機１におけるエラーは、少なくとも景品読取機１の機体内での景品４０の詰まりの発生である。
【０１０８】
また、本実施の形態による景品読取機１においては、前述したように、制御部１５において、代替読取モードは、景品読取機１に通信可能に接続された現金払出機により現金が払い出されるまでの一取引の間においてのみ実行可能である。
【０１０９】
また、本実施の形態による景品読取機１においては、前述したように、記憶部１６は、代替読取モードが実行されているときの識別部６による景品４０の識別情報を、代替読取モードが実行されていないときの識別部６による景品４０の識別情報と区別して記憶するようになっている。この場合には、記憶部１６に記憶された景品４０の識別情報を例えば操作表示部７に表示させることにより、係員は、記憶部１６に記憶された過去取引の内容において、代替読取モードが実行されたときの取引の内容を代替読取モードが実行されていない通常の読取モードでの取引の内容と区別して認識することができるようになる。
【０１１０】
なお、本実施の形態による景品読取機１やこの景品読取機１を用いた景品読取方法は、上述したような態様に限定されることはなく、様々な変更を加えることができる。
【０１１１】
例えば、識別部６により正常に識別することができなかった景品４０がある場合に、このような景品４０と交換される「他の景品」は、識別部６により既に正常に識別された景品４０に限定されることはない。例えば、景品読取機１において代替読取モード専用の各金種の景品４０を予め用意しておき、識別部６により正常に識別することができなかった景品４０がある場合に、代替読取モード専用の景品４０をセット部２８にセットし、このセット部２８にセットされた景品４０をベルト２２により繰り出して識別部６により識別するようにしてもよい。この場合でも、識別部６により正常に識別することができなかった景品４０に係る情報を手入力しなくても当該景品４０の処理を行うことができるようになり、このため違算の発生を防止するとともに景品４０の処理時間を短縮することができる。
【０１１２】
また、更なる変形例に係る景品読取機１では、識別部６により正常に識別することができなかった景品４０がある場合に、制御部１５において代替読取モードが強制的に実行されるようになっていてもよい。
【０１１３】
また、識別部６（特にＩＣリーダライタ５７）では、「店コード」「景品４０に内蔵されているＩＣチップのＩＤ（ＵＩＤ）」も読み取り、真偽判定に用いてもよい。その場合、代替読取モード時には「店コード」や「ＵＩＤ」の照合をするかしないかを設定できるようにしておいてもよい。代替読取モード時には、通常読み取っている複数の情報のうち少なくとも景品４０の連番の照合を行わないが、他の情報についての照合の有無は自由に行えるようにしておけばよい。
【符号の説明】
【０１１４】
１  景品読取機
２  本体
４  プリンタ部
５  搬送部
６  識別部
７  操作表示部
８  収納部
９  開始スイッチ
１０  停止スイッチ
１１  繰出部
１５  制御部
１６  記憶部
１７  通信インターフェース
２０  フレーム
２０Ａ  上壁
２０Ｂ  左壁
２０Ｃ  右壁
２０Ｄ  後壁
２１、２１Ａ、２１Ｂ、２１Ｃ、２１Ｄ  回転軸
２２  ベルト
２２Ａ  外周面
２３  駆動モータ
２４  第１縦壁
２５  隙間
２６  第２縦壁
２７  ガイド部
２７Ａ  ガイド面
２８  セット部
２９  切り欠き
３０  切り欠き
３１、３１Ａ、３１Ｂ  ガイドレール
３２  搬送路
３２Ａ  搬送面
３３  切り欠き
３４  プーリー
３４Ａ  フランジ
３５  突起
３６  タイミングベルト
３７  センサ
４０  景品
４０Ａ  表面
４０Ｂ  裏面
４１  本体
４２  有価物
４３  ＩＣタグ
４４  ホログラム
５０  上側識別ブロック
５１  下側識別ブロック
５２  読取部
５３  ケーシング
５４  ＬＥＤ発光部
５５、５５Ａ、５５Ｂ  カラーセンサ
５７  ＩＣリーダライタ
５８  受光面
７１  収納庫
７３  左壁
７４  右壁
７４Ａ  開口
７５  後壁
７５Ａ  ガイド溝
７６  ステージ
７６Ａ  下側ステージ
７６Ｂ  上側ステージ
７７  内部空間
７９  収納エリア
７９Ａ  下側収納エリア
７９Ｂ  上側収納エリア
【図１】
2015136411.tif 000003
【図２】
2015136411.tif 000004
【図３】
2015136411.tif 000005
【図４】
2015136411.tif 000006
【図５】
2015136411.tif 000007
【図６】
2015136411.tif 000008
【図７】
2015136411.tif 000009
【図８】
2015136411.tif 000010
【図９】
2015136411.tif 000011
【図１０】
2015136411.tif 000012
【図１１】
2015136411.tif 000013